(57)【特許請求の範囲】
【請求項１】
インターホン親機と、Ｎ台のインターホン子機と、前記インターホン親機とＮ台のインターホン子機を接続する接続ケーブルと、前記Ｎ台のインターホン子機の各々が前記インターホン親機を呼び出しているか否かを表示するＮ個のランプを備える集合廊下灯と、から成るインターホンシステムであって、
前記集合廊下灯は、
前記Ｎ本の接続ケーブルと前記Ｎ台のインターホン子機のいずれかを接続する１本の接続ケーブルの途中に挿入され、当該インターホン子機と前記インターホン親機との間で呼び出しに係る信号を中継すると共に、前記インターホン親機が送出した前記Ｎ個のランプの点灯に係る情報を受信し、前記受信した情報に従って前記Ｎ個のランプの点灯／滅灯を制御し、
前記インターホン親機は、
前記インターホン子機の各々から呼出信号を受信し、前記受信した呼出信号に対する応答操作に応じて、自インターホン親機と前記呼出信号を送信したインターホン子機との通話を起動すると共に、前記Ｎ個のランプの点灯に係る情報を前記集合廊下灯が挿入された接続ケーブルに送出することを特徴とする集合廊下灯と連携するインターホンシステム。
【請求項２】
インターホン親機と、Ｎ台のインターホン子機と、前記インターホン親機とＮ台のインターホン子機を接続する接続ケーブルと、前記Ｎ台のインターホン子機の各々が前記インターホン親機を呼び出しているか否かを表示するＮ個のランプを備える集合廊下灯と、から成るインターホンシステムであって、
前記集合廊下灯は、
前記Ｎ本の接続ケーブルと前記Ｎ台のインターホン子機のいずれかを接続する１本の接続ケーブルから分岐した１本の接続ケーブルに接続され、前記インターホン親機が送出した前記Ｎ個のランプの点灯に係る情報を受信し、前記受信した情報に従って前記Ｎ個のランプの点灯／滅灯を制御し、
前記インターホン親機は、
前記インターホン子機の各々から呼出信号を受信し、前記受信した呼出信号に対する応答操作に応じて、自インターホン親機と前記呼出信号を送信したインターホン子機との通話を起動すると共に、前記Ｎ個のランプの点灯に係る情報を前記集合廊下灯が分岐接続された接続ケーブルに送出することを特徴とする集合廊下灯と連携するインターホンシステム。
【発明の詳細な説明】
【技術分野】
【０００１】
本発明は、医療施設や介護施設等に設置され、被看護人居室の入口付近の廊下壁面に設置される集合廊下灯と連携できるインターホンシステムに関する。
【背景技術】
【０００２】
従来から、この種のインターホンシステム(ナースコール装置)として、スタッフステーション等の看護人の待機場所に設置されるナースコール親機（以下インターホン親機）と、被看護人のベッドの近傍に備え付けられるナースコール子機（以下インターホン子機）と、被看護人の居室入口付近の廊下壁面に設置されて前記インターホン子機からの呼び出しを表示する集合廊下灯と、で構成され、インターホン子機が備える呼出ボタンを操作することでインターホン親機を呼び出して通話を可能とするとともに、呼出を行ったインターホン子機が接続されている集合廊下灯の、当該インターホン子機に対応するランプの点灯および消灯を行う機能を持つシステムが知られている。
【０００３】
例えば特許文献１に示したナースコールシステムにおいては、インターホン親機と複数の集合廊下灯をバス型方式の配線にて接続し、前記集合廊下灯に複数のインターホン子機を接続する形態をとっている。
【０００４】
また、例えば非特許文献１に示した簡易ナースコールシステムにおいては、インターホン親機とスター型方式で接続している複数のインターホン子機の間に代表廊下灯を挿入するように接続することで、簡易的なナースコールシステムを実現するという形態をとっている。
【０００５】
特許文献１に示した従来技術や一般的なナースコールシステム等においては、スタッフステーションなどに設置されたインターホン親機と、複数の被看護人居室の入口に設置された集合廊下灯の全てを一度バス型方式の配線で接続、また居室内のベッド近傍などに設置された全てのインターホン子機を、前記居室入口に設置された集合廊下灯に接続する配線方式とする必要があった。
【０００６】
そのため、インターホン親機とインターホン子機のみから成るインターホンシステムが既設された施設などにおいては、前記既設のインターホンシステムを前記特許文献１に示されているような従来技術によるナースコールシステムに入れ替えようとした場合や、前記既設インターホンシステムに前記従来技術によるナースコールシステムの集合廊下灯を接続し、前記従来技術によるナースコールシステムを構成しようとした場合、各被看護人居室入口に前記集合廊下灯を設置する工事に加えて、インターホン親機と設置された集合廊下灯とを繋ぐ前記バス配線の設置工事や、各居室内のインターホン子機とインターホン親機を接続していた配線を全て前記集合廊下灯に引き込むよう変更する工事を実施する必要があり、前記既設インターホンシステムで使用していた配線を活用する事ができず、配線工事のみで大きなコストがかかってしまうという問題があった。
【０００７】
また、前記インターホンシステムが既設された施設などにおいて、前記非特許文献１に示される代表廊下灯を接続しての前記簡易ナースコールシステムを構成しようとした場合、前記インターホン親機と前記代表廊下灯を繋ぐバス配線の工事は不要だが、インターホン親機とインターホン子機を繋いでいた配線を全て前記代表廊下灯に繋ぎ替える工事と、前記代表廊下灯と各インターホン子機を繋ぐ配線を新しく工事設置する必要があるという問題があり、前記従来技術によるナースコールシステムに入れ替えるのと同様に配線工事のみでコストがかかるという問題があった。
【先行技術文献】
【特許文献】
【０００８】
【特許文献１】特開２０１４−４５８０３号公報
【非特許文献】
【０００９】
【非特許文献１】株式会社イデア・テクノス、“ナースコール”、“多床用廊下灯”                    ［ｏｎｌｉｎｅ］、［平成２７年１１月１０日検索］、                      インターネット＜URL: http://www.i-technos.com/category2/＞
【発明の概要】
【発明が解決しようとする課題】
【００１０】
本発明の課題はこれらを鑑みて成されたもので、前記インターホン親機とインターホン子機からなる既設のインターホンシステムの配線環境に対し、集合廊下灯の設置工事と、インターホン親機と居室内のインターホン子機とを繋ぐ既設の配線のうち、任意の１つの配線に前記集合廊下灯を挿入するように接続、または任意の１つの配線から分岐した配線に前記集合廊下灯を接続する配線工事を行って構成したインターホンシステムで、特許文献１に示した従来技術によるナースコールシステムや一般的なナースコールシステムと同等の機能を実現することを目的とする。
【課題を解決するための手段】
【００１１】
上記課題を解決するために本発明は、インターホン親機と、Ｎ台のインターホン子機と、前記インターホン親機とＮ台のインターホン子機を接続する接続ケーブルと、前記Ｎ台のインターホン子機の各々が前記インターホン親機を呼び出しているか否かを表示するＮ個のランプを備える集合廊下灯と、から成るインターホンシステムであって、前記集合廊下灯は、前記Ｎ本の接続ケーブルと前記Ｎ台のインターホン子機のいずれかを接続する１本の接続ケーブルの途中に挿入され、当該インターホン子機と前記インターホン親機との間で呼び出しに係る信号を中継すると共に、前記インターホン親機が送出した前記Ｎ個のランプの点灯に係る情報を受信し、前記受信した情報に従って前記Ｎ個のランプの点灯／滅灯を制御し、前記インターホン親機は、前記インターホン子機の各々から呼出信号を受信し、前記受信した呼出信号に対する応答操作に応じて、自インターホン親機と前記呼出信号を送信したインターホン子機との通話を起動すると共に、前記Ｎ個のランプの点灯に係る情報を前記集合廊下灯が挿入された接続ケーブルに送出することを特徴とする。
【００１２】
また、本発明は、インターホン親機と、Ｎ台のインターホン子機と、前記インターホン親機とＮ台のインターホン子機を接続する接続ケーブルと、前記Ｎ台のインターホン子機の各々が前記インターホン親機を呼び出しているか否かを表示するＮ個のランプを備える集合廊下灯と、から成るインターホンシステムであって、前記集合廊下灯は、前記Ｎ本の接続ケーブルと前記Ｎ台のインターホン子機のいずれかを接続する１本の接続ケーブルから分岐した１本の接続ケーブルに接続され、前記インターホン親機が送出した前記Ｎ個のランプの点灯に係る情報を受信し、前記受信した情報に従って前記Ｎ個のランプの点灯／滅灯を制御し、前記インターホン親機は、前記インターホン子機の各々から呼出信号を受信し、前記受信した呼出信号に対する応答操作に応じて、自インターホン親機と前記呼出信号を送信したインターホン子機との通話を起動すると共に、前記Ｎ個のランプの点灯に係る情報を前記集合廊下灯が分岐接続された接続ケーブルに送出することを特徴とする。
【発明の効果】
【００１３】
本発明によれば、特許文献１に示した従来技術や一般的なナースコールシステムで必要としていたインターホン親機から各居室入口へ設置する集合廊下灯までのバス配線の設置工事が不要となり、また、前記インターホン親機とインターホン子機からなるインターホンシステムが既設されている環境があれば、その配線をそのまま利用して前記ナースコールシステムを構成する事ができ、居室毎に任意の１本の配線に集合廊下灯を挿入するよう変更、あるいは分岐した配線１本に集合廊下灯を接続する工事のみで配線が完了するため、配線工事に係るコストを大きく低減することができる。
【図面の簡単な説明】
【００１４】
【図１】所定の一つの接続ケーブルに集合廊下灯を挿入接続して構成した場合の            １つのグループのブロック図である。
【図２】前記集合廊下灯挿入接続構成で、前記集合廊下灯に接続したインターホン子機からの呼出および復旧時動作シーケンスである。
【図３】前記集合廊下灯挿入接続構成で、前記集合廊下灯を経由せず親機に接続したインターホン子機からの呼出および復旧時動作のシーケンスである。
【図４】所定の一つの接続ケーブルに集合廊下灯を分岐接続して構成した場合の１つのグループのブロック図である。
【図５】前記集合廊下灯分岐接続構成で、前記集合廊下灯を分岐接続した接続ケーブルに接続しているインターホン子機からの呼出および復旧時動作のシーケンスである。
【発明を実施するための形態】
【００１５】
以下に、本発明の一実施の形態について説明する。
【００１６】
なお、集合廊下灯およびインターホン子機への電源供給は、インターホン親機が接続ケーブルを介して供給するよう構成してもよいし、集合廊下灯およびインターホン子機がそれぞれ外部から電源を取り込むよう構成してもよい。以降の実施例においては、図示しないが、インターホン親機が接続ケーブルを介して電源供給を行うよう構成したものとする。
【００１７】
以下、図面を用いて本発明の実施例を説明する。
本実施例においては、インターホン親機とインターホン子機をスター型の配線で接続し、内１本の任意の接続ケーブルに集合廊下灯を挿入または分岐接続することで本発明を実現するよう構成している。
【００１８】
なお、本実施例においては説明しないが、インターホン親機と全てのインターホン子機をバス型の配線で接続し、任意の配線に集合廊下灯を挿入または分岐接続することで本発明を実現するよう構成してもよい。
【００１９】
なお、本実施例においては図１および図４で示すように、１つのインターホン親機１と、１つの集合廊下灯２と、３つのインターホン子機３ａ、３ｂ、３ｃと、を１つのグループとして構成し、インターホン親機１でグループの構成を記憶しておくものとする。
【００２０】
また、本実施例においては説明しないが、１つの前記インターホン親機１を２以上の前記グループに輻輳して所属させ、本インターホンシステムを複数のグループにより構成してもよい。また、１つのグループに属するインターホン子機は、２以上の任意の数で構成してもよい。
【００２１】
図１は、インターホン親機１とインターホン子機を結ぶスター型の配線のうち、所定の１つの接続ケーブルに集合廊下灯２を挿入接続して前記グループを構成した場合のブロック図である。
【００２２】
図１において、３つのインターホン子機３のうち、集合廊下灯２を介して親機と接続するものをインターホン子機３ａ、集合廊下灯２を介さず親機と接続するものをインターホン子機３ｂとインターホン子機３ｃとする。
【００２３】
インターホン親機１は、インターホン子機３ａまたは３ｂまたは３ｃからの呼出があったことや呼出元を示す情報を表示する親機表示部１１と、前記インターホン子機からの呼出に対して看護人が応答する際に押下する応答ボタン１２と、前記応答ボタン１２の操作による応答操作の検出または受信データの解析または各入出力制御などを行う親機制御部１３と、呼出音鳴動表示や通話時に音声の入出力を行う親機音声入出力部１４と、集合廊下灯２または前記インターホン子機のうちインターホン子機３ｂまたは３ｃのいずれかとのデータ通信を行うための複数の接続ポートを備える子機インタフェース部１５と、前記グループの構成を記憶、または前記子機インタフェース部１５の各接続ポートに接続している機器の種別を一時記憶する記憶部１６と、により構成される。
【００２４】
なお、図示しないが、インターホン親機１の子機インタフェース部１５の接続ポートにインターホン子機３または集合廊下灯２が接続した事を検知した際に、接続した機器に対して接続確認の信号を送信し、接続機器からの返答信号に含まれる機器種別を判別し、以降の通信を許可するとともに、前記接続ポートに判別した種別の機器が接続されていることを記憶部１６へ一時記録する。
【００２５】
集合廊下灯２は、インターホン子機３ａまたは３ｂまたは３ｃのいずれかからインターホン親機１への呼出があったことを、対応するランプの点灯をもって示す集合廊下灯表示部２１と、受信データの解析または各入出力制御などを行う集合廊下灯制御部２２と、インターホン親機１からの廊下灯制御信号または子機制御信号の受信、またはインターホン子機３から受信した要求信号をインターホン親機１に転送するための集合廊下灯親機インタフェース部２３と、インターホン親機１から受信した前記廊下灯制御信号または前記子機制御信号のうち、廊下灯制御信号のみを抽出するための廊下灯制御信号抽出部２４と、親機から受信した前記廊下灯制御信号または子機制御信号のうち子機制御信号のみを抽出するための子機制御信号抽出部２５と、前記抽出した子機制御信号をインターホン子機３へ中継、またはインターホン子機３から要求信号を受信し集合廊下灯制御部２２へ中継する集合廊下灯子機インタフェース部２６と、により構成される。
【００２６】
なお、図示しないが、インターホン親機１の子機インタフェース部１５の接続ポートに集合廊下灯２を接続した際に、インターホン親機１より送信される接続確認の信号を集合廊下灯親機インタフェース部２３で受信した場合、機器種別が集合廊下灯である事を示す情報を含む返答信号をインターホン親機１へ送信する。また、集合廊下灯２の集合廊下灯子機インタフェース部２６にインターホン子機３ａが接続した事を検知した際に、接続した機器に対して接続確認の信号を送信し、接続機器からの返答信号に含まれる機器種別を判別し、機器種別がインターホン子機３であれば、以降の通信を許可する。
【００２７】
なお、本実施例において集合廊下灯２の表示部２１には３台のインターホン子機に対応した３個の個別呼出表示ランプを備えるが、３つのうちどれか１つでも前個別記呼出表示ランプが点灯している間は連動して点灯する代表呼出表示ランプを備えるよう構成してもよい。その場合集合廊下灯２の表示部２１は、いずれかの個別呼出表示ランプを点灯する際に連動して前記代表呼出表示ランプを点灯し、全ての個別呼出表示ランプが消灯された際に前記代表呼出表示ランプを消灯する。
【００２８】
インターホン子機３ａ、３ｂ、３ｃは、呼出状態を示す子機表示部３１と、呼出中や通話中や通話後の通話路の解放や廊下灯表示を復旧するための復旧ボタン３２と、インターホン親機１を呼び出すための呼出ボタン３３と、受信データの解析または各入出力制御などを行う子機制御部３４と、前記呼出や復旧操作時にインターホン親機１または集合廊下灯２へ呼出や復旧要求を送信する、またはインターホン親機１または集合廊下灯２からの子機制御信号を受信する親機インタフェース部３５と、呼出表示や通話時音声入出力を行う子機音声入出力部３６と、により構成される。
【００２９】
なお、インターホン子機３からインターホン親機１の呼出を行う機能は、インターホン子機本体の呼出ボタン３３を押下する事で実現してもよいし、インターホン子機３に握り呼出ボタン４を延伸して接続しそれを押下することで実現してもよい。握り呼出ボタン４の押下は、子機制御部３４で押下操作を検出後、呼出ボタン３３が押下された場合と同様の呼出操作として扱う。以降の実施例においては、インターホン子機本体の呼出ボタンの押下による呼出を行った場合について説明を行う。
【００３０】
なお、図示しないが、インターホン子機３ａを集合廊下灯２の子機インタフェース２６に接続、またはインターホン子機３ｂおよび３ｃをインターホン親機１の子機インタフェース部１５に接続した際集合廊下灯２またはインターホン親機１より送信される接続確認の信号を集合廊下灯親機インタフェース部２３で受信した場合、機器種別がインターホン子機３である事を示す情報を含む返答信号を集合廊下灯２またはインターホン親機１へ送信する。
【００３１】
図２は、前記挿入接続構成の場合に、前記集合廊下灯２に接続したインターホン子機３ａからの呼出および復旧を行った場合の各機器の動作シーケンスである。
【００３２】
集合廊下灯２に接続されたインターホン子機３ａの呼出ボタン３３が被看護人などにより押下され、子機制御部３４で呼出操作として検出されると（Ｓ２０００）親機インタフェース３５を介して、送信元機器種別がインターホン子機３である事を識別できる子機識別情報を含む呼出要求を集合廊下灯２へ送信する（Ｓ２００１）とともに、呼出を行ったことを子機表示部３１および子機音声入出力部３６より表示する（Ｓ２００２）。
【００３３】
集合廊下灯２の子機インタフェース２６が前記呼出要求を受信すると、集合廊下灯制御部２２が前記子機識別情報よりインターホン子機３からの呼出要求であることを確認し、受信した呼出要求の信号のうち、前記子機識別情報の送信元機器種別のみを自集合廊下灯に書き換えて、集合廊下灯親機インタフェース部２３を介してインターホン親機１へ受信した前記呼出要求を転送する（Ｓ２００３）。
【００３４】
インターホン親機１の子機インタフェース１５が前記呼出要求を受信すると、親機制御部１３で前記子機識別情報から集合廊下灯２を経由したインターホン子機３ａからの呼出要求であることを確認し、親機表示部１１および親機音声入出力部１４より、着信と呼び元を示す呼出表示を行う（Ｓ２００４）と共に、インターホン子機３ａに対応するランプの点灯を指示する廊下灯制御信号を、子機インタフェース部１５を介して集合廊下灯２へ送信する（Ｓ２００５）。
【００３５】
集合廊下灯２の集合廊下灯親機インタフェース部２３が前記廊下灯点灯を指示する廊下灯制御信号を受信すると、廊下灯制御信号抽出部２４は廊下灯の点灯指示情報を抽出し集合廊下灯制御部２２へ通知する。前記廊下灯の点灯指示を通知された集合廊下灯制御部２２は、集合廊下灯表示部２１のインターホン子機３ａに対応するランプの点灯を行う。
【００３６】
前記呼出表示中のインターホン親機１の応答ボタン１２を看護人が押下し、親機制御部１３で応答操作として検出すると（Ｓ２００７）、親機制御部１３は通話路接続を指示する子機制御信号を、子機インタフェース部１５を介して集合廊下灯２へ送信する（Ｓ２００８）。
【００３７】
集合廊下灯２の集合廊下灯親機インタフェース部２３が前記通話路接続を指示する子機制御信号を受信すると、子機制御信号抽出部２５は受信した前記子機制御信号を、集合廊下灯子機インタフェース部２６を介してそのままインターホン子機３ａへ転送する（Ｓ２００９）。
【００３８】
インターホン子機３ａの親機インタフェース部３５が前記通話路接続を指示する子機制御信号を受信すると、子機制御部３４は、インターホン子機３ａとインターホン親機１の通話路を接続する処理を行う（Ｓ２０１０）。
【００３９】
インターホン親機１の親機制御部１３は前記通話路接続が成された事を検知すると、親機表示部１１および親機音声入出力部１４より、通話中を示す表示を行い（Ｓ２０１１）呼出動作が完了する。
【００４０】
終話操作を検出（Ｓ２０１２）した親機制御部１３は、通話路解放を指示する子機制御信号を、子機インタフェース部１５を介して集合廊下灯２へ送信する（Ｓ２０１３）。
【００４１】
集合廊下灯２の集合廊下灯親機インタフェース部２３が前記通話路解放を指示する子機制御信号を受信すると、子機制御信号抽出部２５は受信した前記子機制御信号を、集合廊下灯子機インタフェース部２６を介してそのままインターホン子機３ａへ転送する（Ｓ２０１４）。
【００４２】
インターホン子機３ａの親機インタフェース部３５が前記通話路解放を指示する子機制御信号を受信すると、子機制御部３４は、インターホン子機３ａとインターホン親機１の通話路を解放する処理を行う（Ｓ２０１５）。
【００４３】
インターホン親機１の親機制御部１３は前記通話路解放が成された事を検知すると、親機表示部１１の通話中を示す表示を消去する（Ｓ２０１６）。
【００４４】
通話を終えた看護人が呼出を行ったインターホン子機３ａの利用者元へ行き、看護対応を終えてインターホン子機３ａの復旧ボタン３２を押下し、子機制御部３４が復旧操作として検出すると（Ｓ２０１７）、親機インタフェース３５を介して、送信元機器種別がインターホン子機３である事を識別できる子機識別情報を含む復旧要求を集合廊下灯２へ送信する（Ｓ２０１８）とともに、子機表示部３１の呼出し表示を消去する（Ｓ２０１９）。
【００４５】
集合廊下灯２の子機インタフェース２６が前記復旧要求を受信すると、集合廊下灯制御部２２が前記子機識別情報よりインターホン子機３aからの復旧要求であることを確認し、受信した呼出要求の信号のうち、前記子機識別情報の送信元機器種別のみを自集合廊下灯に書き換えて、集合廊下灯親機インタフェース部２３を介してインターホン親機１へ受信した前記復旧要求を転送する（Ｓ２０１９）。
【００４６】
インターホン親機の子機インタフェース１５が前記復旧要求を受信すると、親機制御部１３で前記子機識別情報から集合廊下灯２を経由したインターホン子機３ａからの復旧要求であることを確認し、インターホン子機３ａに対応するランプの消灯を指示する廊下灯制御信号を、子機インタフェース部１５を介して集合廊下灯２へ送信する（Ｓ２０２０）。
【００４７】
集合廊下灯２の集合廊下灯親機インタフェース部２３が前記廊下灯消灯指示を受信すると、廊下灯制御信号抽出部２４は廊下灯の消灯指示情報を抽出し集合廊下灯制御部２２へ通知する。前記廊下灯の消灯指示を通知された集合廊下灯制御部２２は、集合廊下灯表示部２１のインターホン子機３ａに対応するランプの消灯を行う（Ｓ２０２１）。
【００４８】
図３は、前記挿入接続構成の場合に、前記集合廊下灯２に接続しないインターホン子機３ｂまたはインターホン３ｃからの呼出および復旧を行った場合の各機器の動作シーケンスである。なお、以下説明は前記インターホン３ｂからの操作を行ったものとする。
【００４９】
集合廊下灯２に接続されたインターホン子機３ｂの呼出ボタン３３が被看護人などにより押下され、子機制御部３４で呼出操作として検出されると（Ｓ３０００）親機インタフェース３５を介して、送信元機器種別がインターホン子機３である事を識別できる子機識別情報を含む呼出要求を親機１へ送信する（Ｓ３００１）とともに、呼出を行ったことを子機表示部３１および子機音声入出力部３６より表示する（Ｓ３００２）。
【００５０】
インターホン親機１の子機インタフェース１５が前記呼出要求を受信すると、親機制御部１３で前記子機識別情報からインターホン子機３ｂからの呼出要求であることを確認し、親機表示部１１および親機音声入出力部１４より、着信と呼び元を示す呼出表示を行う（Ｓ３００３）と共に、インターホン子機３ｂに対応するランプの点灯を指示する廊下灯制御信号を、子機インタフェース部１５を介して集合廊下灯２へ送信する（Ｓ３００４）。
【００５１】
集合廊下灯２の集合廊下灯親機インタフェース部２３が前記廊下灯点灯指示を受信すると、廊下灯制御信号抽出部２４は廊下灯の点灯指示情報を抽出し集合廊下灯制御部２２へ通知する。前記廊下灯の点灯指示情報を通知された集合廊下灯制御部２２は、集合廊下灯表示部２１のインターホン子機３ｂに対応するランプの点灯を行う（Ｓ３００５）。
【００５２】
前記呼出表示中のインターホン親機１の応答ボタン１２を看護人が押下し、親機制御部１３で応答操作として検出すると（Ｓ３００６）、親機制御部１３は通話路接続を指示する子機制御信号を、子機インタフェース部１５を介してインターホン子機３ｂへ送信する（Ｓ３００７）。
【００５３】
インターホン子機３ｂの親機インタフェース部３５が前記通話路接続を指示する子機制御信号を受信すると、子機制御部３４は、インターホン子機３ａとインターホン親機１の通話路を接続する処理を行う（Ｓ３００８）。
【００５４】
インターホン親機１の親機制御部１３は前記通話路接続が成された事を検知すると、親機表示部１１および親機音声入出力部１４より、通話中を示す表示を行い（Ｓ３００９）呼出動作が完了する。
【００５５】
終話操作を検出（Ｓ３０１０）した親機制御部１３は、通話路解放を指示する子機制御信号を、子機インタフェース部１５を介してインターホン子機３ｂへ送信する（Ｓ３０１１）。
【００５６】
インターホン子機３ｂの親機インタフェース部３５が前記通話路解放を指示する子機制御信号を受信すると、子機制御部３４は、インターホン子機３ｂとインターホン親機１の通話路を解放する処理を行う（Ｓ３０１２）。
【００５７】
インターホン親機１の親機制御部１３は前記通話路解放が成された事を検知すると、自インターホン親機１の表示部１１へ通話中表示の消去を指示する（Ｓ３０１３）
【００５８】
通話を終えた看護人が呼出を行ったインターホン子機３ｂの利用者元へ行き、看護対応を終えてインターホン子機３ｂの復旧ボタン３２を押下し、子機制御部３４が復旧操作として検出すると（Ｓ３０１４）、親機インタフェース３５を介して、送信元機器種別がインターホン子機３である事を識別できる子機識別情報を含む復旧要求をインターホン親機１へ送信する（Ｓ３０１５）とともに、子機表示部３１の呼出し表示を消去する（Ｓ３０１６）。
【００５９】
インターホン親機１の子機インタフェース１５が前記復旧要求を受信すると、親機制御部１３で前記子機識別情報からインターホン子機３ｂからの復旧要求であることを確認し、インターホン子機３ｂに対応するランプの消灯を指示する廊下灯制御信号を、子機インタフェース部１５を介して集合廊下灯２へ送信する（Ｓ３０１７）。
【００６０】
集合廊下灯２の集合廊下灯親機インタフェース部２３が前記廊下灯消灯指示を受信すると、廊下灯制御信号抽出部２４は廊下灯の消灯指示情報を抽出し集合廊下灯制御部２２へ通知する。前記廊下灯の消灯指示情報を通知された集合廊下灯制御部２２は、集合廊下灯表示部２１のインターホン子機３ｂに対応するランプの消灯を行う（Ｓ３０１８）。
【００６１】
図４は、インターホン親機１とインターホン子機を結ぶスター型の配線のうち、所定の１つの接続ケーブルに分岐接続した接続ケーブルに、集合廊下灯２を接続して前記グループを構成した場合のブロック図である。
【００６２】
インターホン親機１は、インターホン子機３ａまたは３ｂまたは３ｃからの呼出があったことや呼出元を示す情報を表示する親機表示部１１と、前記インターホン子機からの呼出に対して看護人が応答する際に押下する応答ボタン１２と、前記応答ボタン１２の操作による応答操作の検出または受信データの解析または各入出力制御などを行う親機制御部１３と、呼出音鳴動表示や通話時に音声の入出力を行う親機音声入出力部１４と、前記インターホン子機３ａまたは３ｂまたは３ｃまたは前記集合廊下灯２との通信を行うための複数の接続ポートを備える子機インタフェース部１５と、前記グループの構成を記憶、または前記子機インタフェース部１５の各接続ポートに接続している機器の種別を一時記憶する記憶部１６と、により構成される。
【００６３】
なお、図示しないが、インターホン親機１の子機インタフェース部１５の接続ポートにインターホン子機３が接続した事を検知した際に、接続した機器に対して接続確認の信号を送信し、接続機器からの返答信号に含まれる機器種別を判別し、前記接続ポートに判別した種別の機器が接続されていることを記憶部１６へ一時記録する。
【００６４】
集合廊下灯２は、インターホン子機３ａまたは３ｂまたは３ｃのいずれかからインターホン親機１への呼出があったことを、対応するランプの点灯をもって示す集合廊下灯表示部２１と、受信データの解析または各入出力制御などを行う集合廊下灯制御部２２と、インターホン親機１からの廊下灯制御信号または子機制御信号の受信を行うための集合廊下灯親機インタフェース部２３と、インターホン親機１から受信した前記廊下灯制御信号または前記子機制御信号のうち、廊下灯制御信号のみを抽出するための廊下灯制御信号抽出部２４と、により構成される。
【００６５】
インターホン子機３ａ、３ｂ、３ｃは、呼出状態を示す子機表示部３１と、呼出中や通話中や通話後の通話路の解放や廊下灯表示を復旧するための復旧ボタン３２と、インターホン親機１を呼び出すための呼出ボタン３３と、受信データの解析または各入出力制御などを行う子機制御部３４と、前記呼出や復旧操作時にインターホン親機１へ呼出や復旧要求を送信またはインターホン親機１からの子機制御信号を受信する親機インタフェース部３５と、呼出表示や通話時音声入出力を行う子機音声入出力部３６と、により構成される。
【００６６】
なお、インターホン子機３からインターホン親機１の呼出を行う機能は、インターホン子機本体の呼出ボタン３３を押下する事で実現してもよいし、インターホン子機３に握り呼出ボタン４を延伸して接続しそれを押下することで実現してもよい。握り呼出ボタン４の押下は、子機制御部３４で押下操作を検出後、呼出ボタン３３が押下された場合と同様の呼出操作として扱う。以降の実施例においては、インターホン子機本体の呼出ボタンの押下による呼出を行った場合について説明を行う。
【００６７】
なお、図示しないが、インターホン子機３ａおよび３ｂおよび３ｃをインターホン親機１の子機インタフェース部１５に接続した際インターホン親機１より送信される接続確認の信号を集合廊下灯親機インタフェース部２３で受信した場合、機器種別がインターホン子機３である事を示す情報を含む返答信号をインターホン親機１へ送信する。
【００６８】
図５は、前記分岐接続構成の場合に、集合廊下灯２が分岐接続されている接続ケーブルに接続しているインターホン子機３ａからの呼出および復旧を行った場合の各機器の動作シーケンスである。
【００６９】
インターホン子機３ａの呼出ボタン３３が被看護人などにより押下され、子機制御部３４で呼出操作として検出されると（Ｓ５０００）親機インタフェース３５を介して呼出要求を親機１へ送信する（Ｓ５００１）とともに、呼出を行ったことを子機表示部３１および子機音声入出力部３６より表示する（Ｓ５００２）。
【００７０】
インターホン親機１の子機インタフェース１５が前記呼出要求を受信すると、親機制御部１３でインターホン子機３ａからの呼出要求であることを確認し、親機表示部１１および親機音声入出力部１４より、着信と呼び元を示す呼出表示を行う（Ｓ５００３）と共に、集合廊下灯２のみが読み取ることのできる、インターホン子機３ａに対応するランプの点灯を指示する廊下灯制御信号を、子機インタフェース部１５を介して全てのインターホン子機３へ向けて送信する（Ｓ５００４）。
【００７１】
集合廊下灯２の集合廊下灯親機インタフェース部２３が、前記インターホン子機３ａへ向けて送信された前記廊下灯点灯を指示する廊下灯制御信号を受信すると、廊下灯制御信号抽出部２４は廊下灯の点灯指示情報を抽出し集合廊下灯制御部２２へ通知する。前記廊下灯の点灯を指示する廊下灯制御信号を受信した集合廊下灯制御部２２は、集合廊下灯表示部２１のインターホン子機３ａに対応するランプの点灯を行う（Ｓ５００５）。
【００７２】
なお、図示していないが、インターホン子機３ａまたは３ｂまたは３ｃが、前記廊下灯点灯を指示する廊下灯制御信号を受信すると、自インターホン子機で読取不能の信号として前記廊下灯制御信号を無視する。
【００７３】
前記呼出表示中のインターホン親機１の応答ボタン１２を看護人が押下し、親機制御部１３で応答操作として検出すると（Ｓ５００６）、親機制御部１３は通話路接続を指示する子機制御信号を、子機インタフェース部１５を介してインターホン子機３ａへ向けて送信する（Ｓ５００７）。
【００７４】
インターホン子機３ｂの親機インタフェース部３５が前記通話路接続を指示する子機制御信号を受信すると、子機制御部３４は、インターホン子機３ａとインターホン親機１の通話路を接続する処理を行う（Ｓ５００８）。
【００７５】
なお、送信された前記通話路接続を指示する子機制御信号は、同配線上の集合廊下灯２でも受信するが、集合廊下灯２は前記子機制御信号を不要な信号として無視する。
【００７６】
インターホン親機１の親機制御部１３は前記通話路接続が成された事を検知すると、親機表示部１１および親機音声入出力部１４より、通話中を示す表示を行い（Ｓ５００９）呼出動作が完了する。
【００７７】
終話操作を検出（Ｓ５０１０）した親機制御部１３は、通話路解放を指示する子機制御信号を、子機インタフェース部１５を介してインターホン子機３ｂへ送信する（Ｓ５０１１）。
【００７８】
インターホン子機３ｂの親機インタフェース部３５が前記通話路解放を指示する子機制御信号を受信すると、子機制御部３４は、インターホン子機３ｂとインターホン親機１の通話路を解放する処理を行う（Ｓ５０１２）。
【００７９】
なお、送信された前記通話路解放を指示する子機制御信号は、同配線上の集合廊下灯２でも受信するが、集合廊下灯２は前記子機制御信号を不要な信号として無視する。
【００８０】
インターホン親機１の親機制御部１３は前記通話路解放が成された事を検知すると、通話中を示す表示の消去を行う（Ｓ５０１３）。
【００８１】
通話を終えた看護人が呼出を行ったインターホン子機３ａの利用者元へ行き、看護対応を終えてインターホン子機３ａの復旧ボタン３２を押下し、子機制御部３４が復旧操作として検出すると（Ｓ５０１４）、親機インタフェース３５を介して復旧要求をインターホン親機１へ送信する（５０１５）とともに、子機表示部３１の呼出し表示を消去する（Ｓ５０１６）。
【００８２】
インターホン親機１の子機インタフェース１５が前記復旧要求を受信すると、集合廊下灯２のみが読み取ることのできるインターホン子機３ａに対応するランプの消灯を指示する廊下灯制御信号を、子機インタフェース部１５を介して全てのインターホン子機３へ向けて送信する（Ｓ５０１７）。
【００８３】
集合廊下灯２の集合廊下灯親機インタフェース部２３が前記廊下灯消灯指示を受信すると、廊下灯制御信号抽出部２４は廊下灯の消灯指示情報を抽出し集合廊下灯制御部２２へ通知する。前記廊下灯の消灯を指示する廊下灯制御信号を通知された集合廊下灯制御部２２は、集合廊下灯表示部２１のインターホン子機３ａに対応するランプの消灯を行う（Ｓ５０１８）。
【００８４】
なお、図示しないが、前記集合廊下灯２が分岐接続されていないインターホン子機３ｂまたは３ｃの呼出ボタン３３を被看護人等が押下して呼出を行った場合のシーケンスは図５と同様のシーケンスとなり、インターホン親機１から送信される子機制御信号の宛先が、前記インターホン子機３ｂまたは３ｃとなる点のみが異なる。
【００８５】
なお、本実施例においては実施しないが、前記インターホン親機１とインターホン子機を繋ぐスター接続のうち、どの接続ケーブルに前記集合廊下灯２を分岐接続するかあらかじめ定め、前記グループの構成に含めて前記インターホン親機１の記憶部１６に記憶するよう構成してもよい。たとえば本実施例と同じくインターホン子機３ａが接続されている接続ケーブルに前記集合廊下灯２を分岐接続するグループ構成とすることをあらかじめ定めて記憶部１６に記憶しておいた場合、インターホン親機１は前記子機インタフェース部の前記廊下灯制御信号をインターホン子機３ａに対してのみ送信することで前記呼出・復旧のシーケンスを実現できる。
【符号の説明】
【００８６】
１・・・インターホン親機
１１・・・親機表示部
１２・・・応答ボタン
１３・・・親機制御部
１４・・・親機音声入出力部
１５・・・子機インタフェース部
１６・・・記憶部
２・・・集合廊下灯
２１・・・集合廊下灯表示部
２２・・・集合廊下灯制御部
２３・・・集合廊下灯親機インタフェース部
２４・・・廊下灯制御信号抽出部
２５・・・子機制御信号抽出部
２６・・・集合廊下灯子機インタフェース部
３・・・インターホン子機
３１・・・子機表示部
３２・・・復旧ボタン
３３・・・呼出ボタン
３４・・・子機制御部
３５・・・親機インタフェース部
３６・・・子機音声入出力部
４・・・握り呼出ボタン
【図１】
0006531637.tif 000002
【図２】
0006531637.tif 000003
【図３】
0006531637.tif 000004
【図４】
0006531637.tif 000005
【図５】
0006531637.tif 000006